【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
コロイド触媒または分子触媒を使用して重油フィードストックを水添分解する方法であって、
コロイド触媒もしくは分子触媒および／または触媒前駆体を含む重油フィードストックを、第１のガス−液体の２相以上の水添分解反応器内に導入するステップであって、前記第１のガス−液体の２相以上の水添分解反応器がコロイド触媒または分子触媒の第１の濃度を有し、流出物を生成するステップと、
前記第１の水添分解反応器から生成した前記流出物を、低沸点蒸気画分と高沸点液体画分に分離するステップと、
前記流出物を前記低沸点蒸気画分と前記高沸点液体画分に分離した後に、追加量のコロイド触媒もしくは分子触媒および／または触媒前駆体を、前記高沸点液体画分に添加するステップと、
少なくとも一部分の前記高沸点液体画分を、第２のガス−液体の２相以上の水添分解反応器内に導入するステップであって、前記高沸点液体画分が、前記第１の水添分解反応器内のコロイド触媒または分子触媒の前記第１の濃度より高いコロイド触媒または分子触媒の第２の濃度を有するステップと、
を含むことを特徴とする方法。
【請求項２】
追加量のコロイド触媒もしくは分子触媒および／または触媒前駆体を前記高沸点液体画分に添加するステップは、前記高沸点液体画分を前記第２のガス−液体の２相以上の水添分解反応器内に導入する前に、触媒前駆体組成物を前記高沸点液体画分と合わせるステップを含むことを特徴とする請求項１に記載の方法。
【請求項３】
追加量のコロイド触媒もしくは分子触媒および／または触媒前駆体を前記高沸点液体画分に添加するステップは、触媒前駆体組成物を炭化水素希釈剤と予備ブレンドして触媒前駆体混合物を形成するステップと、前記高沸点液体画分を前記第２のガス−液体の２相以上の水添分解反応器内に導入する前に、前記触媒前駆体混合物を前記高沸点液体画分と合わせるステップとを含むことを特徴とする請求項１に記載の方法。
【請求項４】
前記第１の水添分解反応器から生成した前記流出物を分離するステップは、顕著な圧力降下を誘導して前記高沸点液体画分から低沸点揮発性ガス状蒸気画分を分離する圧力差中間分離器内に前記流出物を導入するステップによって実施されることを特徴とする請求項１から３のいずれか一項に記載の方法。
【請求項５】
追加量のコロイド触媒もしくは分子触媒および／または触媒前駆体を前記高沸点液体画分に添加するステップは、触媒前駆体組成物を前記圧力差中間分離器内に導入するステップを含むことを特徴とする請求項４に記載の方法。
【請求項６】
追加量のコロイド触媒もしくは分子触媒および／または触媒前駆体を前記高沸点液体画分に添加するステップは、触媒前駆体組成物を炭化水素希釈剤と予備ブレンドして触媒前駆体混合物を形成するステップと、前記触媒前駆体混合物を前記圧力差中間分離器内に導入するステップとを含むことを特徴とする請求項４に記載の方法。
【請求項７】
前記圧力降下は、約１００ｐｓｉから約１０００ｐｓｉ、好ましくは約２００ｐｓｉから約７００ｐｓｉ、さらに好ましくは約３００ｐｓｉから約５００ｐｓｉであることを特徴とする請求項４に記載の方法。
【請求項８】
実質的にすべての前記高沸点液体画分は、前記第２の水添分解反応器内に導入されることを特徴とする請求項１から７のいずれか一項に記載の方法。
【請求項９】
前記高沸点液体画分の一部分は、前記第１の水添分解反応器内に再循環されることを特徴とする請求項１から７のいずれか一項に記載の方法。
【請求項１０】
前記第２の水添分解反応器から生成した第２の流出物を、第２の低沸点蒸気画分と第２の高沸点液体画分に分離するステップと、
少なくとも一部分の前記第２の高沸点液体画分を、第３のガス−液体の２相以上の水添分解反応器に導入するステップであって、前記第２の高沸点液体画分が、前記第２の水添分解反応器内のコロイド分散触媒または分子分散触媒の前記第２の濃度より高いコロイド分散触媒または分子分散触媒の第３の濃度を有するステップと
をさらに含むことを特徴とする請求項１から９のいずれか一項に記載の方法。
【請求項１１】
第２の追加量のコロイド触媒もしくは分子触媒および／または触媒前駆体を前記第２の高沸点液体画分に添加するステップをさらに含むことを特徴とする請求項１０に記載の方法。
【請求項１２】
第２の追加量のコロイド触媒もしくは分子触媒および／または触媒前駆体を前記第２の高沸点液体画分に添加するステップは、
前記高沸点液体画分を前記第２のガス−液体の２相以上の水添分解反応器内に導入する前に、触媒前駆体組成物を前記高沸点液体画分と合わせるステップ、または、
触媒前駆体組成物を炭化水素希釈剤と予備ブレンドして第２の触媒前駆体混合物を形成するステップ、および前記第２の高沸点液体画分を前記第３のガス−液体の２相以上の水添分解反応器内に導入する前に、前記第２の触媒前駆体混合物を前記第２の高沸点液体画分と合わせるステップ、
を含むことを特徴とする請求項１１に記載の方法。
【請求項１３】
前記第２の水添分解反応器から生成した前記第２の流出物を前記第２の低沸点蒸気画分と前記第２の高沸点液体画分に分離するステップは、第２の圧力降下を誘導して前記第２の高沸点液体画分から前記第２の低沸点揮発性ガス状蒸気画分を分離する第２の中間圧力差分離器内に前記第２の流出物を導入するステップをさらに含むことを特徴とする請求項１０から１２のいずれか一項に記載の方法。
【請求項１４】
前記第２の水添分解反応器内に導入される前記高沸点液体画分は、前記第１の水添分解反応器内のコロイド触媒または分子触媒の濃度より、少なくとも約１０％高いコロイド触媒または分子触媒の濃度、好ましくは少なくとも約２５％高いコロイド触媒または分子触媒の濃度、さらに好ましくは約３０％高いコロイド触媒または分子触媒の濃度を有することを特徴とする請求項１から１３のいずれか一項に記載の方法。
【請求項１５】
請求項１から１４いずれか一項に記載の方法を実施するための手段を含むことを特徴とする重油を水添分解するためのシステム。
【請求項１６】
コロイド触媒または分子触媒を使用して重油フィードストックを水添分解する方法であって、
コロイド触媒もしくは分子触媒および／または触媒前駆体を含む重油フィードストックを、第１のガス−液体の２相以上の水添分解反応器に導入するステップであって、前記第１のガス−液体の２相以上の水添分解反応器がコロイド触媒または分子触媒の第１の濃度を有し、流出物を生成するステップと、
前記第１の水添分解反応器から生成した前記流出物を、顕著な圧力降下を誘導して高沸点液体画分から低沸点揮発性ガス状蒸気画分を分離する圧力差中間分離器内に導入するステップと、
追加量のコロイド触媒もしくは分子触媒および／または触媒前駆体を、前記中間分離器内の前記高沸点液体画分に添加するステップと、
少なくとも一部分の前記高沸点液体画分を、第２のガス−液体の２相以上の水添分解反応器に導入するステップであって、前記高沸点液体画分が、前記第１の水添分解反応器内のコロイド触媒または分子触媒の前記第１の濃度より高いコロイド触媒または分子触媒の第２の濃度を有するステップと
を含むことを特徴とする方法。
【請求項１７】
コロイド触媒または分子触媒を使用して重油フィードストックを水添分解する方法であって、
コロイド触媒もしくは分子触媒および／または触媒前駆体を含む重油フィードストックを、第１のガス−液体の２相以上の水添分解反応器に導入するステップであって、前記第１のガス−液体の２相以上の水添分解反応器がコロイド触媒または分子触媒の第１の濃度を有し、流出物を生成するステップと、
前記第１の水添分解反応器から生成した前記流出物を、顕著な圧力降下を誘導して高沸点液体画分から低沸点揮発性ガス状蒸気画分を分離する圧力差中間分離器内に導入するステップと、
前記中間分離器から前記高沸点液体画分を除去し、追加量のコロイド触媒もしくは分子触媒および／または触媒前駆体を前記中間分離器から除去した前記高沸点液体画分に添加するステップと、
少なくとも一部分の前記高沸点液体画分を、第２のガス−液体の２相以上の水添分解反応器に導入するステップであって、前記高沸点液体画分が、前記第１の水添分解反応器内のコロイド触媒または分子触媒の前記第１の濃度より高いコロイド触媒または分子触媒の第２の濃度を有するステップと
を含むことを特徴とする方法。